(57)【要約】【課題】ビビリ音が発生するのを抑制し、かつ、厚みが大きくなるのを抑制しながら、ベゼルを減らすことが可能な表示装置を提供する。【解決手段】この液晶テレビジョン装置（表示装置）１００は、液晶セル部２１と、液晶セル部２１の前側に配置され、液晶セル部２１の表示領域２１ａを露出させる開口部１ａを有する前部筐体１と、液晶セル部２１の縁部２１ｃのうち、液晶セル部２１を保持するためのベゼル４が設けられていないベゼル非設置部分において、前部筐体１の内面１ｂと液晶セル部２１の前面２１ｂとの両方に当接可能な状態で前部筐体１の内面１ａと液晶セル部２１の前面２１ｂとにより挟み込まれることによって液晶セル部２１の前面２１ｂ側の縁部２１ｃを押さえる弾性部材からなるクッション材５とを備える。【選択図】図３
2013101311.tif 000002
【特許請求の範囲】
【請求項１】
表示セル部と、
前記表示セル部の前側に配置され、前記表示セル部の表示領域を露出させる開口部を有する前部筐体と、
前記表示セル部の縁部のうち、前記表示セル部を保持するためのベゼルが設けられていないベゼル非設置部分において、前記前部筐体の内面と前記表示セル部の前面との両方に当接可能な状態で前記前部筐体の内面と前記表示セル部の前面とにより挟み込まれることによって前記表示セル部の前面側の縁部を押さえる弾性部材からなる押さえ部材とを備える、表示装置。
【請求項２】
前記表示セル部は、平面視で略矩形形状に形成されており、
略矩形形状の前記表示セル部の縁部のいずれかの辺には、前記ベゼルが設けられ、
前記略矩形形状の表示セル部の縁部の前記ベゼル非設置部分には、前記押さえ部材が設けられている、請求項１に記載の表示装置。
【請求項３】
前記押さえ部材は、前記表示セル部の縁部の一辺に沿って直線状に延びるように形成されている、請求項２に記載の表示装置。
【請求項４】
前記押さえ部材は、前記押さえ部材の延びる方向における前記表示セル部の表示領域の一辺の長さよりも小さい長さを有している、請求項３に記載の表示装置。
【請求項５】
前記押さえ部材は、前記表示セル部の縁部の一辺に沿って複数設けられている、請求項３または４に記載の表示装置。
【請求項６】
前記表示セル部の縁部を後ろ側から支持するとともに、前記表示セル部を位置決めするように前記表示セル部の縁部に沿って延びる第１位置決め部を含むフレーム部をさらに備え、
前記押さえ部材は、前記第１位置決め部により位置決めされた状態の前記表示セル部の前面側の縁部を押さえるように構成されている、請求項１〜５のいずれか１項に記載の表示装置。
【請求項７】
前記押さえ部材は、前記表示セル部の前面側の縁部と前記フレーム部の第１位置決め部とに跨って配置され、前記表示セル部の縁部に沿って延びるように形成されている、請求項６に記載の表示装置。
【請求項８】
前記前部筐体は、前記押さえ部材を前記前部筐体に対して位置決めする第２位置決め部を含み、
前記押さえ部材は、前記第２位置決め部により位置決めされた状態で前記表示セル部の前面側の縁部を押さえるように構成されている、請求項１〜７のいずれか１項に記載の表示装置。
【請求項９】
前記弾性部材からなる押さえ部材は、非導電性のクッション材からなる、請求項１〜８のいずれか１項に記載の表示装置。
【請求項１０】
前記押さえ部材は、前記前部筐体の内面と前記表示セル部の前面とにより挟み込まれた状態において扁平断面形状を有し、前記表示セル部の前面側の縁部を面接触状態で押さえるように構成されている、請求項１〜９のいずれか１項に記載の表示装置。
【請求項１１】
前記表示セル部の後ろ側に配置され、前記前部筐体との間に前記表示セル部を挟み込んだ状態で前記前部筐体に取り付けられる後部筐体をさらに備え、
前記押さえ部材は、前記後部筐体が前記前部筐体に取り付けられることによって前記前部筐体の内面と前記表示セル部の前面とにより挟み込まれて前記表示セル部の前面側の縁部を押さえるように構成されている、請求項１〜１０のいずれか１項に記載の表示装置。
【請求項１２】
前記前部筐体の開口部の縁部は、前記前部筐体の内面から後ろ側に突出するように形成されており、
前記押さえ部材は、前記開口部の縁部の突出高さよりも大きい厚みを有している、請求項１〜１１のいずれか１項に記載の表示装置。
【請求項１３】
テレビジョン放送を受信可能な受信部と、
前記受信部により受信されたテレビジョン放送が表示される表示セル部と、
前記表示セル部の前側に配置され、前記表示セル部の表示領域を露出させる開口部を有する前部筐体と、
前記表示セル部の縁部のうち、前記表示セル部を保持するためのベゼルが設けられていないベゼル非設置部分において、前記前部筐体の内面と前記表示セル部の前面との両方に当接可能な状態で前記前部筐体の内面と前記表示セル部の前面とにより挟み込まれることによって前記表示セル部の前面側の縁部を押さえる弾性部材からなる押さえ部材とを備える、テレビジョン装置。
【発明の詳細な説明】
【技術分野】
【０００１】
この発明は、表示装置およびテレビジョン装置に関し、特に、表示セル部を備える表示装置およびテレビジョン装置に関する。
【背景技術】
【０００２】
従来、表示セル部を備える表示装置が知られている（たとえば、特許文献１参照）。
【０００３】
上記特許文献１には、液晶基板を保持するベゼルが設けられていないベゼルレス液晶基板（表示セル部）と、ベゼルレス液晶基板の表示領域を露出させる開口部を有するフロントキャビネット体（前部筐体）と、フロントキャビネット体とベゼルレス液晶基板との間でフロントキャビネット体とベゼルレス液晶基板との両方に当接するように設けられた板金製のシールド枠とを備えた液晶表示装置が開示されている。この液晶表示装置では、板金製のシールド枠によりベゼルレス液晶基板の前面側の縁部を押さえることによってベゼルを用いないようにしている。また、上記特許文献１には、別の実施形態として、シールド枠とフロントキャビネット体との間と、シールド枠とベゼルレス液晶基板との間とに弾性部材を設ける構成が開示されている。
【先行技術文献】
【特許文献】
【０００４】
【特許文献１】特開２００６−３３７７０３号公報
【発明の概要】
【発明が解決しようとする課題】
【０００５】
しかしながら、上記特許文献１に記載の液晶表示装置（表示装置）では、板金製のシールド枠がフロントキャビネット体とベゼルレス液晶基板との両方に当接した状態でベゼルレス液晶基板の前面側の縁部を押さえるので、スピーカから出力される音声などに起因して、シールド枠とフロントキャビネット体との間と、シールド枠とベゼルレス液晶基板との間とでビビリ音が発生するという問題点がある。また、上記特許文献１の別の実施形態のように、シールド枠とフロントキャビネット体との間と、シールド枠とベゼルレス液晶基板との間とに弾性部材を設ける場合には、ビビリ音が発生するのを抑制することが可能である一方、フロントキャビネット体とベゼルレス液晶基板との間に、シールド枠に加えて２つの弾性部材を設ける必要があるので、フロントキャビネット体とベゼルレス液晶基板との間の間隔が大きくなって液晶表示装置の厚みが大きくなるという問題点がある。
【０００６】
この発明は、上記のような課題を解決するためになされたものであり、この発明の１つの目的は、ビビリ音が発生するのを抑制し、かつ、厚みが大きくなるのを抑制しながら、ベゼルを減らすことが可能な表示装置およびテレビジョン装置を提供することである。
【課題を解決するための手段】
【０００７】
この発明の第１の局面による表示装置は、表示セル部と、表示セル部の前側に配置され、表示セル部の表示領域を露出させる開口部を有する前部筐体と、表示セル部の縁部のうち、表示セル部を保持するためのベゼルが設けられていないベゼル非設置部分において、前部筐体の内面と表示セル部の前面との両方に当接可能な状態で前部筐体の内面と表示セル部の前面とにより挟み込まれることによって表示セル部の前面側の縁部を押さえる弾性部材からなる押さえ部材とを備える。
【０００８】
この第１の局面による表示装置では、上記のように、表示セル部の縁部のうち、表示セル部を保持するためのベゼルが設けられていないベゼル非設置部分において、前部筐体の内面と表示セル部の前面とにより挟み込まれて表示セル部の前面側の縁部を押さえる押さえ部材を設けることによって、表示セル部の縁部のうちの押さえ部材が設けられた部分ではベゼルにより表示セル部の前面側の縁部を押さえる必要がないので、その分、ベゼルを減らすことができる。また、押さえ部材を、弾性部材により構成するとともに、前部筐体の内面と表示セル部の前面との両方に当接可能な状態で前部筐体の内面と表示セル部の前面とにより挟み込まれるように構成することによって、弾性部材からなる押さえ部材により、前部筐体の内面と表示セル部の前面との間でビビリ音が発生するのを抑制することができる。また、表示セル部の縁部のうちの押さえ部材が設けられる部分において、前部筐体の内面と表示セル部の前面との間に押さえ部材以外の部材が設けられないので、前部筐体の内面と表示セル部の前面との間の間隔が大きくなるのが抑制される。その結果、表示装置の厚みが大きくなるのを抑制することができる。したがって、本発明の第１の局面による表示装置では、ビビリ音が発生するのを抑制し、かつ、厚みが大きくなるのを抑制しながら、ベゼルを減らすことができる。さらに、表示装置の輸送時などに表示装置に外部から振動が加えられた場合でも、弾性部材からなる押さえ部材により、前部筐体の内面と表示セル部の前面とが互いに衝突するのを抑制することができるので、前部筐体との衝突に起因して表示セル部に損傷が生じるのを抑制することができる。
【０００９】
上記第１の局面による表示装置において、好ましくは、表示セル部は、平面視で略矩形形状に形成されており、略矩形形状の表示セル部の縁部のいずれかの辺には、ベゼルが設けられ、略矩形形状の表示セル部の縁部のベゼル非設置部分には、押さえ部材が設けられている。このように構成すれば、略矩形形状の表示セル部の縁部を押さえるためにベゼルと押さえ部材とを併用することができる。
【００１０】
この場合、好ましくは、押さえ部材は、表示セル部の縁部の一辺に沿って直線状に延びるように形成されている。このように構成すれば、直線状に延びる押さえ部材により、表示セル部の一辺に沿った領域を安定して押さえることができる。
【００１１】
上記押さえ部材が直線状に延びる構成において、好ましくは、押さえ部材は、押さえ部材の延びる方向における表示セル部の表示領域の一辺の長さよりも小さい長さを有している。このように構成すれば、押さえ部材の長さが大きくなるのを抑制しながら表示セル部の前面側の縁部を安定して押さえることができる。
【００１２】
上記押さえ部材が直線状に延びる構成において、好ましくは、押さえ部材は、表示セル部の縁部の一辺に沿って複数設けられている。このように構成すれば、各々の押さえ部材の長さを小さくした場合でも、複数の押さえ部材により、表示セル部の前面側の縁部を安定して押さえることができる。
【００１３】
上記第１の局面による表示装置において、好ましくは、表示セル部の縁部を後ろ側から支持するとともに、表示セル部を位置決めするように表示セル部の縁部に沿って延びる第１位置決め部を含むフレーム部をさらに備え、押さえ部材は、第１位置決め部により位置決めされた状態の表示セル部の前面側の縁部を押さえるように構成されている。このように構成すれば、第１位置決め部により表示セル部の位置がずれるのが抑制されるので、押さえ部材により表示セル部の前面側の縁部をより確実に押さえることができる。
【００１４】
この場合、好ましくは、押さえ部材は、表示セル部の前面側の縁部とフレーム部の第１位置決め部とに跨って配置され、表示セル部の縁部に沿って延びるように形成されている。このように構成すれば、押さえ部材により、表示セル部の前面側の縁部が浮き上がるのを効果的に抑制することができる。
【００１５】
上記第１の局面による表示装置において、好ましくは、前部筐体は、押さえ部材を前部筐体に対して位置決めする第２位置決め部を含み、押さえ部材は、第２位置決め部により位置決めされた状態で表示セル部の前面側の縁部を押さえるように構成されている。このように構成すれば、第２位置決め部により押さえ部材の位置がずれるのが抑制されるので、押さえ部材により表示セル部の前面側の縁部をより確実に押さえることができる。
【００１６】
上記第１の局面による表示装置において、好ましくは、弾性部材からなる押さえ部材は、非導電性のクッション材からなる。このように構成すれば、ゴムやスポンジなどの非導電性のクッション材からなる簡易な構成の押さえ部材を用いて、容易に、ビビリ音が発生するのを抑制することができる。
【００１７】
上記第１の局面による表示装置において、好ましくは、押さえ部材は、前部筐体の内面と表示セル部の前面とにより挟み込まれた状態において扁平断面形状を有し、表示セル部の前面側の縁部を面接触状態で押さえるように構成されている。このように構成すれば、面接触する扁平断面形状の押さえ部材により、表示セル部の前面側の縁部がより広い範囲で押さえられるので、表示セル部の前面側の縁部をより確実にかつより安定して押さえることができる。
【００１８】
上記第１の局面による表示装置において、好ましくは、表示セル部の後ろ側に配置され、前部筐体との間に表示セル部を挟み込んだ状態で前部筐体に取り付けられる後部筐体をさらに備え、押さえ部材は、後部筐体が前部筐体に取り付けられることによって前部筐体の内面と表示セル部の前面とにより挟み込まれて表示セル部の前面側の縁部を押さえるように構成されている。このように構成すれば、後部筐体が前部筐体に取り付けられる力（前部筐体と後部筐体とにより表示セル部を挟み込む力）を用いて押さえ部材により表示セル部の前面側の縁部が押さえられるので、押さえ部材により表示セル部の前面側の縁部を押さえるための専用の押圧機構を別途設けることなく容易に表示セル部の前面側の縁部を押さえることができる。
【００１９】
上記第１の局面による表示装置において、好ましくは、前部筐体の開口部の縁部は、前部筐体の内面から後ろ側に突出するように形成されており、押さえ部材は、開口部の縁部の突出高さよりも大きい厚みを有している。このように構成すれば、押さえ部材により、前部筐体の内面と表示セル部の前面との間の距離を開口部の縁部の突出高さよりも大きくなるように確保することができるので、開口部の縁部が表示セル部の前面に当接するのを抑制することができ、その結果、開口部の縁部と表示セル部の前面との間でビビリ音が発生するのを抑制することができる。
【００２０】
この発明の第２の局面によるテレビジョン装置は、テレビジョン放送を受信可能な受信部と、受信部により受信されたテレビジョン放送が表示される表示セル部と、表示セル部の前側に配置され、表示セル部の表示領域を露出させる開口部を有する前部筐体と、表示セル部の縁部のうち、表示セル部を保持するためのベゼルが設けられていないベゼル非設置部分において、前部筐体の内面と表示セル部の前面との両方に当接可能な状態で前部筐体の内面と表示セル部の前面とにより挟み込まれることによって表示セル部の前面側の縁部を押さえる弾性部材からなる押さえ部材とを備える。
【００２１】
この第２の局面によるテレビジョン装置では、上記のように、表示セル部の縁部のうち、表示セル部を保持するためのベゼルが設けられていないベゼル非設置部分において、前部筐体の内面と表示セル部の前面とにより挟み込まれて表示セル部の前面側の縁部を押さえる押さえ部材を設けることによって、表示セル部の縁部のうちの押さえ部材が設けられた部分ではベゼルにより表示セル部の前面側の縁部を押さえる必要がないので、その分、ベゼルを減らすことができる。また、押さえ部材を、弾性部材により構成するとともに、前部筐体の内面と表示セル部の前面との両方に当接可能な状態で前部筐体の内面と表示セル部の前面とにより挟み込まれるように構成することによって、弾性部材からなる押さえ部材により、前部筐体の内面と表示セル部の前面との間でビビリ音が発生するのを抑制することができる。また、表示セル部の縁部のうちの押さえ部材が設けられる部分において、前部筐体の内面と表示セル部の前面との間に押さえ部材以外の部材が設けられないので、前部筐体の内面と表示セル部の前面との間の間隔が大きくなるのが抑制される。その結果、表示装置の厚みが大きくなるのを抑制することができる。したがって、本発明の第２の局面によるテレビジョン装置では、ビビリ音が発生するのを抑制し、かつ、厚みが大きくなるのを抑制しながら、ベゼルを減らすことができる。また、軽量化や薄型化の要望が強いテレビジョン装置においては、ビビリ音が発生するのを抑制し、かつ、厚みが大きくなるのを抑制しながら、板金等からなる比較的重量の大きいベゼルを減らすことができる本発明はより有効である。
【発明の効果】
【００２２】
本発明によれば、上記のように、ビビリ音が発生するのを抑制し、かつ、厚みが大きくなるのを抑制しながら、ベゼルを減らすことができる。
【図面の簡単な説明】
【００２３】
【図１】本発明の一実施形態による液晶テレビジョン装置を前側から見た全体斜視図である。
【図２】本発明の一実施形態による液晶テレビジョン装置を後側から見た全体斜視図である。
【図３】本発明の一実施形態による液晶テレビジョン装置を示した分解斜視図である。
【図４】本発明の一実施形態による液晶テレビジョン装置の前部筐体の内面側を示した平面図である。
【図５】本発明の一実施形態による液晶テレビジョン装置の液晶セル部の構成を説明するための概略斜視図である。
【図６】本発明の一実施形態による液晶テレビジョン装置の液晶セル部に対するクッション材の配置状態を示した平面図である。
【図７】本発明の一実施形態による液晶テレビジョン装置のリアフレームを取り付けた状態を示した平面図である。
【図８】図７の２００−２００線に沿った断面図である。
【図９】図７の３００−３００線に沿った断面図である。
【図１０】本発明の一実施形態の第１変形例による液晶テレビジョン装置の構成を示した概略斜視図である。
【図１１】本発明の一実施形態の第２変形例による液晶テレビジョン装置の構成を示した概略斜視図である。
【発明を実施するための形態】
【００２４】
以下、本発明を具体化した実施形態を図面に基づいて説明する。
【００２５】
図１〜図９を参照して、本発明の一実施形態による液晶テレビジョン装置１００の構成について説明する。なお、本実施形態では、本発明の「表示装置」および「テレビジョン装置」を、液晶テレビジョン装置１００に適用する例について説明する。
【００２６】
本発明の一実施形態による液晶テレビジョン装置１００は、図１および図２に示すように、枠状の前部筐体１と、前部筐体１の後ろ側（Ｙ２方向側）に配置される液晶モジュール２と、液晶テレビジョン装置１００全体を支持するスタンド部材３とを備えている。
【００２７】
前部筐体１は、図１、図３および図４に示すように、液晶モジュール２の矩形形状の表示領域２１ａ（図１参照）を露出させるための略矩形形状の開口部１ａを有している。また、図３および図４に示すように、前部筐体１の内面１ｂ（Ｙ２方向側の表面）には、縁部に沿って複数のネジ螺合部１１が前部筐体１に一体的に形成されている。また、図４に示すように、前部筐体１の内面１ｂ（Ｙ２方向側の表面）側には、略矩形形状の開口部１ａのＸ２方向側の一辺に沿ってＺ方向に延びるリブ１２が前部筐体１に一体的に形成されている。リブ１２は、前部筐体１の機械的強度を高める補強部材として機能するとともに、後述するクッション材５を前部筐体１に対して位置決めするためにも用いられる。なお、リブ１２は、本発明の「第２位置決め部」の一例である。
【００２８】
液晶モジュール２は、図３に示すように、液晶セル部２１と、光源２２と、樹脂フレーム２３と、光学部材２４と、枠状のホールドプレート２５と、板金製のリアフレーム２６とを含んでいる。具体的には、リアフレーム２６から前部筐体１の方向（矢印Ｙ１方向）に向かって、ホールドプレート２５、光学部材２４、枠状の樹脂フレーム２３、液晶セル部２１の順で配置されている。また、樹脂フレーム２３のＸ２方向側の側面には、複数のＬＥＤから構成される光源２２が配置されている。なお、液晶セル部２１は、本発明の「表示セル部」の一例である。
【００２９】
液晶セル部２１は、液晶表示パネルを構成するとともに、液晶セルや電極シートなどにより主として構成されている。また、液晶セル部２１は、後述する受信部（チューナ）２８ａにより受信されたテレビジョン放送に応じて駆動されてテレビジョン放送を表示するように構成されている。また、液晶セル部２１は、平面視で略矩形形状に形成されている。また、液晶セル部２１は、図５および図６に示すように、矩形形状の表示領域２１ａと表示領域２１ａを取り囲むように設けられた縁部（非表示領域）２１ｃとを有している。また、本実施形態では、液晶セル部２１は、図５に示すように、前面２１ｂ側（Ｙ１方向側）の縁部２１ｃ（図６参照）の３つの辺が３つのベゼル４により押さえられるとともに、他の一辺がクッション材５により押さえられるように構成されている。具体的には、略矩形形状の液晶セル部２１の縁部２１ｃのうち、液晶セル部２１の駆動回路２１１（図３参照）が設けられる上辺（Ｚ１方向側の辺）、液晶セル部２１の駆動回路（図示せず）が設けられるＸ１方向側の辺、および下辺（Ｚ２方向側の辺）のそれぞれにベゼル４が設けられ、ベゼル４が設けられていない液晶セル部２１のＸ２方向側の辺（ベゼル非設置部分）にクッション材５が設けられている。ベゼル４は、略Ｌ字状の断面形状を有する板金からなり、樹脂フレーム２３との間に液晶セル部２１の縁部２１ｃを挟み込んで液晶セル部２１の前面を押さえるように構成されている。なお、クッション材５は、本発明の「押さえ部材」の一例である。また、クッション材５の詳細については後述する。
【００３０】
樹脂フレーム２３は、図３、図５および図６に示すように、枠状に形成されており、液晶セル部２１の縁部２１ｃを後ろ側（Ｙ２方向側）から支持するように構成されている。また、樹脂フレーム２３は、図６に示すように、液晶セル部２１の縁部２１ｃのＸ２方向側の一辺に沿って延びる（Ｚ方向に延びる）リブ２３１を有している。リブ２３１は、図８に示すように、液晶セル部２１の背面２１ｄに当接する載置面２３２から前側（Ｙ１方向側）に突出するように樹脂フレーム２３に一体的に形成されている。これにより、液晶セル部２１は、樹脂フレーム２３の載置面２３２により後ろ側から支持されるとともに、リブ２３１によりＸ方向の移動が規制されて位置決めされる。また、リブ２３１は、液晶セル部２１を位置決めしながら、クッション材５が後ろ側（Ｙ２方向側）に移動するのを規制するように構成されている。なお、樹脂フレーム２３は、本発明の「フレーム部」の一例であり、リブ２３１は、本発明の「第１位置決め部」の一例である。
【００３１】
光学部材２４は、光反射シート、導光板、拡散シートおよびレンズシートなどから主として構成されている。また、光学部材２４は、樹脂フレーム２３とホールドプレート２５とにより挟み込まれることによって保持されている。
【００３２】
リアフレーム２６は、図２および図３に示すように、平面視で略矩形形状を有している。また、リアフレーム２６は、図３に示すように、複数の基板取付用ネジ穴２６ａを有し、リアフレーム２６の背面２６ｂ（Ｙ２方向側の表面）に、装置全体に電力を供給するための回路基板２７と、テレビジョン放送を受信可能な受信部（チューナ）２８ａが設けられた信号処理用の回路基板２８とを取り付け可能に構成されている。また、図２および図３に示すように、リアフレーム２６は、複数のカバー取付用ネジ穴２６ｃを有し、回路基板２７および２８を覆うように凹形状に形成されたカバー部材６が取り付けられるように構成されている。カバー部材６は、後方（Ｙ２方向側）から見て、略矩形形状を有しているとともにリアフレーム２６よりも小さく形成されている。これにより、図２に示すように、リアフレーム２６の背面２６ｂのうち、縁部近傍の部分は露出される。すなわち、カバー部材６と、カバー部材６から露出されるリアフレーム２６の縁部近傍の部分とにより、液晶テレビジョン装置１００の後部筐体が構成されている。なお、リアフレーム２６は、本発明の「後部筐体」の一例である。
【００３３】
また、図２および図３に示すように、リアフレーム２６の露出された縁部近傍の部分には、複数のネジ９を挿入可能な複数のネジ挿入穴２６ｄが形成されている。リアフレーム２６は、図３および図７に示すように、ネジ挿入穴２６ｄに挿入されるネジ９が前部筐体１のネジ螺合部１１に螺合されることによって前部筐体１に取り付けられるように構成されている。また、図３に示すように、リアフレーム２６の背面２６ｂ側には、２つのスピーカ７が設けられている。スピーカ７は、スピーカ取付部材８を介してリアフレーム２６とカバー部材６とにより挟み込まれることによって保持されるように構成されている。
【００３４】
ここで、本実施形態では、クッション材５は、ゴム部材からなり、非導電性の弾性部材である。また、クッション材５は、前部筐体１の内面１ｂ（Ｙ２方向側の表面）と液晶セル部２１の前面２１ｂとの両方に当接可能なように設けられている。また、クッション材５は、図６に示すように、液晶セル部２１の縁部２１ｃのＸ２方向側の一辺に沿ってＺ方向に直線状に延びるように形成されている。また、クッション材５は、矩形形状の表示領域２１ａのＸ２方向側の一辺の長さ（Ｚ方向の幅）Ｌ１よりも若干小さい長さＬ２を有している。
【００３５】
また、クッション材５は、図４および図８に示すように、前部筐体１のリブ１２に沿ってリブ１２と開口部１ａの縁部１３との間に配置されている。前部筐体１の開口部１ａの縁部１３は、図８に示すように、前部筐体１の内面１ｂから後ろ側（Ｙ２方向側）に突出するように形成されており、クッション材５は、リブ１２と縁部１３との間に配置されることにより位置決めされている。また、クッション材５は、液晶セル部２１の縁部２１ｃのうちのベゼル非設置部分（Ｘ２方向側の辺）において、前部筐体１の内面１ｂ（Ｙ２方向側の表面）と液晶セル部２１の前面２１ｂとにより挟み込まれることによって液晶セル部２１の前面２１ｂ側の縁部２１ｃを押さえるように構成されている。また、クッション材５は、縁部１３の後ろ側（Ｙ２方向側）への突出高さＡ１よりも大きく、かつ、前部筐体１の内面１ｂと液晶セル部２１との間の離間距離Ａ２以下の大きさの厚みＡ３を有している。すなわち、クッション材５の厚みＡ３は、縁部１３の突出高さＡ１より大きければ、前部筐体１の内面１ｂと液晶セル部２１との間の離間距離Ａ２よりも小さくてもよい。また、クッション材５は、図６、図８および図９に示すように、液晶セル部２１が樹脂フレーム２３のリブ２３１により位置決めされた状態で液晶セル部２１の前面２１ｂ側の縁部２１ｃを押さえるように構成されている。また、クッション材５は、図８および図９に示すように、載置面２３２により後ろ側（Ｙ２方向側）から支持された液晶セル部２１の縁部２１ｃを押さえるように構成されている。また、クッション材５は、前方側（Ｙ１方向側）から見て一部が液晶セル部２１から外側にはみ出した状態で液晶セル部２１の縁部２１ｃを押さえるように構成されている。具体的には、図６および図８に示すように、クッション材５は、液晶セル部２１の縁部２１ｃと樹脂フレーム２３のリブ２３１とに跨って液晶セル部２１の縁部２１ｃを押さえるように構成されている。
【００３６】
また、クッション材５は、図８および図９に示すように、前部筐体１の内面１ｂと液晶セル部２１の前面２１ｂとにより挟み込まれた状態において扁平断面形状を有している。これにより、クッション材５は、液晶セル部２１の縁部２１ｃを面接触状態で押さえることが可能である。また、クッション材５は、図９に示すように、ネジ９によりリアフレーム２６が前部筐体１に取り付けられることによって前部筐体１の内面１ｂと液晶セル部２１の前面２１ｂとにより挟み込まれるように構成されている。すなわち、クッション材５は、リアフレーム２６および前部筐体１による挟持力を利用して液晶セル部２１の縁部２１ｃを押さえるように構成されている。
【００３７】
本実施形態では、上記のように、液晶セル部２１の縁部２１ｃのうち、液晶セル部２１を保持するためのベゼル４が設けられていないベゼル非設置部分において、前部筐体１の内面１ｂと液晶セル部２１の前面２１ｂとにより挟み込まれて液晶セル部２１の前面２１ｂ側の縁部２１ｃを押さえるクッション材５を設けることによって、液晶セル部２１の縁部２１ｃのうちのクッション材５が設けられた部分ではベゼル４により液晶セル部２１の前面２１ｂ側の縁部２１ｃを押さえる必要がないので、その分、ベゼル４を減らすことができる。また、弾性部材であるクッション材５を、前部筐体１の内面１ｂと液晶セル部２１の前面２１ｂとの両方に当接可能な状態で前部筐体１の内面１ｂと液晶セル部２１の前面２１ｂとにより挟み込まれるように構成することによって、弾性部材からなるクッション材５により、前部筐体１の内面１ｂと液晶セル部２１の前面２１ｂとの間でビビリ音が発生するのを抑制することができる。また、液晶セル部２１の縁部２１ｃのうちのクッション材５が設けられる部分において、前部筐体１の内面１ｂと液晶セル部２１の前面２１ｂとの間にクッション材５以外の部材が設けられないので、前部筐体１の内面１ｂと液晶セル部２１の前面２１ｂとの間の間隔が大きくなるのが抑制される。その結果、液晶テレビジョン装置１００の厚みが大きくなるのを抑制することができる。したがって、本実施形態の液晶テレビジョン装置１００では、ビビリ音が発生するのを抑制し、かつ、厚みが大きくなるのを抑制しながら、ベゼル４を減らすことができる。また、軽量化や薄型化の要望が強い本実施形態のような液晶テレビジョン装置１００においては、ビビリ音が発生するのを抑制し、かつ、厚みが大きくなるのを抑制しながら、板金からなる比較的重量の大きいベゼル４を減らすことができる本発明はより有効である。
【００３８】
また、本実施形態では、上記のように、略矩形形状の液晶セル部２１の縁部２１ｃのうちの３つの辺にはベゼル４を設けるとともに、略矩形形状の液晶セル部２１の縁部２１ｃのベゼル非設置部分にはクッション材５を設ける。これにより、略矩形形状の液晶セル部２１の縁部２１ｃを押さえるためにベゼル４とクッション材５とを併用することができる。
【００３９】
また、本実施形態では、上記のように、クッション材５を、液晶セル部２１の縁部２１ｃの一辺に沿って直線状に延びるように形成する。これにより、直線状に延びるクッション材５により、液晶セル部２１の一辺に沿った領域を安定して押さえることができる。
【００４０】
また、本実施形態では、上記のように、クッション材５を、クッション材５の延びる方向（Ｚ方向）における液晶セル部２１の表示領域２１ａの一辺の長さＬ１よりも小さい長さＬ２を有するように構成する。これにより、クッション材５の長さが大きくなるのを抑制しながら液晶セル部２１の前面２１ｂ側の縁部２１ｃを安定して押さえることができる。
【００４１】
また、本実施形態では、上記のように、クッション材５を、樹脂フレーム２３のリブ２３１により位置決めされた状態の液晶セル部２１の前面２１ｂ側の縁部２１ｃを押さえるように構成する。これにより、リブ２３１により液晶セル部２１の位置がずれるのが抑制されるので、クッション材５により液晶セル部２１の前面２１ｂ側の縁部２１ｃをより確実に押さえることができる。
【００４２】
また、本実施形態では、上記のように、クッション材５を、液晶セル部２１の前面２１ｂ側の縁部２１ｃと樹脂フレーム２３のリブ２３１とに跨って配置し、液晶セル部２１の縁部２１ｃに沿って延びるように形成する。これにより、クッション材５により、液晶セル部２１の前面２１ｂ側の縁部２１ｃが浮き上がるのを効果的に抑制することができる。
【００４３】
また、本実施形態では、上記のように、クッション材５を、前部筐体１のリブ１２により位置決めされた状態で液晶セル部２１の前面２１ｂ側の縁部２１ｃを押さえるように構成する。これにより、前部筐体１のリブ１２によりクッション材５の位置がずれるのが抑制されるので、クッション材５により液晶セル部２１の前面２１ｂ側の縁部２１ｃをより確実に押さえることができる。
【００４４】
また、本実施形態では、上記のように、クッション材５を、前部筐体１の内面１ｂと液晶セル部２１の前面２１ｂとにより挟み込まれた状態において扁平断面形状を有するように構成するとともに、液晶セル部２１の前面２１ｂ側の縁部２１ｃを面接触状態で押さえるように構成する。これにより、面接触する扁平断面形状のクッション材５により、液晶セル部２１の前面２１ｂ側の縁部２１ｃがより広い範囲で押さえられるので、液晶セル部２１の前面２１ｂ側の縁部２１ｃをより確実にかつより安定して押さえることができる。
【００４５】
また、本実施形態では、上記のように、クッション材５を、リアフレーム２６が前部筐体１に取り付けられることによって前部筐体１の内面１ｂと液晶セル部２１の前面２１ｂとにより挟み込まれて液晶セル部２１の前面２１ｂ側の縁部２１ｃを押さえるように構成する。これにより、リアフレーム２６が前部筐体１に取り付けられる力（前部筐体１とリアフレーム２６とにより液晶セル部２１を挟み込む力）を用いてクッション材５により液晶セル部２１の前面２１ｂ側の縁部２１ｃが押さえられるので、クッション材５により液晶セル部２１の前面２１ｂ側の縁部２１ｃを押さえるための専用の押圧機構を別途設けることなく容易に液晶セル部２１の前面２１ｂ側の縁部２１ｃを押さえることができる。
【００４６】
また、本実施形態では、上記のように、前部筐体１の開口部１ａの縁部１３を、前部筐体１の内面１ｂから後ろ側（Ｙ２方向側）に突出するように形成するとともに、開口部１ａの縁部１３の突出高さＡ１よりも大きい厚みＡ３を有するようにクッション材５を構成する。このように構成すれば、クッション材５により、前部筐体１の内面１ｂと液晶セル部２１の前面２１ｂとの間の離間距離Ａ２を開口部１ａの縁部１３の突出高さＡ１よりも大きくなるように確保することができるので、開口部１ａの縁部１３が液晶セル部２１の前面２１ｂに当接するのを抑制することができ、その結果、開口部１ａの縁部１３と液晶セル部２１の前面２１ｂとの間でビビリ音が発生するのを抑制することができる。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記実施形態では、本発明の「表示装置」を、液晶テレビジョン装置に適用する例について示したが、本発明はこれに限られない。たとえば、パーソナルコンピュータのモニタなど、液晶テレビジョン装置以外の表示装置にも本発明を適用可能である。
【００４９】
また、上記実施形態では、略矩形形状の液晶セル部の縁部のうちの３つの辺にベゼルを設けるとともに、略矩形形状の液晶セル部の縁部の他の一辺にクッション材（押さえ部材）を設ける例を示したが、本発明はこれに限られない。本発明では、略矩形形状の液晶セル部の縁部の４つの辺の全てに押さえ部材を設けてベゼルを一切用いないようにしてもよいし、１つまたは２つの辺にベゼルを設けて残りの３つまたは２つの辺に押さえ部材を設けてもよい。また、ベゼルが設けられていない辺が複数ある場合に、その複数の辺のうちの一部にだけ押さえ部材を設ける構成であってもよい。すなわち、ベゼル非設置部分の少なくとも一部に押さえ部材が設けられていれば、ベゼルおよび押さえ部材の両方ともが設けられていない辺があってもよい。
【００５０】
また、上記実施形態では、クッション材（押さえ部材）を、矩形形状の表示領域の一辺の長さ（Ｚ方向の幅）Ｌ１よりも若干小さい長さＬ２を有するように構成する例を示したが、本発明はこれに限られない。本発明では、図１０に示す第１変形例のように、クッション材（押さえ部材）５ａを、矩形形状の表示領域の一辺の長さの半分以下の長さを有するように構成してもよい。この場合、クッション材（押さえ部材）５ａを、表示セル部の対応する縁部の一辺の中央部に配置することが好ましい。
【００５１】
また、上記実施形態では、ベゼル非設置部分において、液晶セル部（表示セル部）の縁部の一辺に沿って１つ（１本）のクッション材（押さえ部材）を設ける例を示したが、本発明はこれに限られない。本発明では、図１１に示す第２変形例のように、ベゼル非設置部分において、表示セル部の縁部の一辺に沿って複数のクッション材（押さえ部材）５ｂを設けてもよい。
【００５２】
また、上記実施形態では、本発明の弾性部材からなる押さえ部材の一例として、ゴム部材からなるクッション材を示したが、本発明はこれに限られない。本発明では、たとえばスポンジなど、ゴム部材以外の弾性部材からなる押さえ部材であってもよい。
【００５３】
また、上記実施形態では、本発明の表示セル部を液晶セル部に適用する例を示したが、本発明はこれに限られない。本発明の表示セル部は、液晶セル部以外の表示セル部にも広く適用可能である。
【符号の説明】
【００５４】
１  前部筐体
１ａ  開口部
１ｂ  内面
４  ベゼル
５、５ａ、５ｂ  クッション材（押さえ部材）
１２  リブ（第２位置決め部）
１３  縁部
２１  液晶セル部（表示セル部）
２１ａ  表示領域
２１ｂ  前面
２１ｃ  縁部
２３  樹脂フレーム（フレーム部）
２６  リアフレーム（後部筐体）
２８ａ  受信部
１００  液晶テレビジョン装置（表示装置、テレビジョン装置）
２３１  リブ（第１位置決め部）
【図１】
2013101311.tif 000003
【図２】
2013101311.tif 000004
【図３】
2013101311.tif 000005
【図４】
2013101311.tif 000006
【図５】
2013101311.tif 000007
【図６】
2013101311.tif 000008
【図７】
2013101311.tif 000009
【図８】
2013101311.tif 000010
【図９】
2013101311.tif 000011
【図１０】
2013101311.tif 000012
【図１１】
2013101311.tif 000013